(57)【要約】【課題】雨水等が建物内部に浸入することを防止する。【解決手段】配管５が挿通される内側スリーブ４が建物側壁部１及び屋外側壁部２を貫通して配置され、内側スリーブ４の外側に隙間をあけて外側スリーブ３が配置される。外側スリーブ３は屋外側壁部２に固設され、内側スリーブ４は、建物側壁部１に固設される第１スリーブ４ａと、第１スリーブ４ａに長さ方向に沿って接合される第２スリーブ４ｂとを有する。【選択図】      図１
2004226370.tif 000002
【特許請求の範囲】
【請求項１】
配管が挿通される内側スリーブが建物側壁部及び屋外側壁部を貫通して配置され、前記内側スリーブの外側に隙間をあけて外側スリーブが配置される原子力施設の配管構造であって、
前記外側スリーブは、前記屋外側壁部に固設され、
前記内側スリーブは、前記建物側壁部に固設される第１スリーブと、該第１スリーブに長さ方向に沿って接合される第２スリーブとを有することを特徴とする原子力施設の配管構造。
【請求項２】
請求項１記載の原子力施設の配管構造において、
前記内側スリーブには、前記配管との間隙を閉塞する閉塞部材が延設されることを特徴とする原子力施設の配管構造。
【請求項３】
配管が挿通される内側スリーブを建物側壁部及び屋外側壁部に貫通して配置し、前記内側スリーブの外側に隙間をあけて外側スリーブを配置する原子力施設の配管スリーブ固設方法であって、
前記内側スリーブは、長さ方向に分割した第１スリーブ及び第２スリーブを有し、
前記第１スリーブを前記建物側壁部に固設する第１工程と、
前記外側スリーブを前記屋外側壁部に固設する第２工程と、
固設した前記第１スリーブに前記第２スリーブを接合する第３工程とを有することを特徴とする原子力施設の配管スリーブ固設方法。
【発明の詳細な説明】
【０００１】
【発明の属する技術分野】
本発明は、原子力施設の配管構造及び配管スリーブ固設方法に関し、特に２重の貫通スリーブを用いた原子力施設の配管構造及び配管スリーブ固設方法に関するものである。
【０００２】
【従来の技術】
図２に、原子力施設における配管構造の一例を示す。
図２中、符号１は建物側壁部を示しており、符号２は例えばポンプ室（図示せず）と建物側壁部１との間に設けられる屋外側壁部を示している。この図に示す配管構造は、外管スリーブ（外側スリーブ）３が建物側壁部１に固設され、一端を外管スリーブ３内に隙間をあけて挿通された内管スリーブ（内側スリーブ）４が他端を屋外側壁部２に固設された２重スリーブ構造であり、内管スリーブ４内には配管５が挿通している。
【０００３】
この構造では、外管スリーブ３と内管スリーブ４との間に隙間が設けられることにより、建物側壁部１と屋外側壁部２との間に相対位置ずれが発生しても、隙間により位置ずれが吸収され、位置ずれに起因する悪影響が配管５に及ぶことを防止できる。なお、スリーブ端部の構造は、例えば非特許文献１に開示されている。
【０００４】
ところで、通常、屋外側壁部２の建設工事は、建物側壁部１よりも工程的に遅くなるため、壁部より突出する内管スリーブ４は屋外側壁部２を建設する際の鉄筋工事に支障とならないように、後工程で工事される屋外側壁部２に固設され、建物側壁部１には壁部から突出しない外管スリーブ３が固設されていた。
【０００５】
【非特許文献１】
発明協会公開技報  公技番号９４−９１６５  社団法人発明協会、発行日  １９９４年５月２日
【０００６】
【発明が解決しようとする課題】
しかしながら、上述したような従来の原子力施設の配管構造には、以下のような問題が存在する。
外管スリーブ３と内管スリーブ４との間の隙間が建物側壁部１を貫通する構成のため、内管スリーブ４の外周面を伝った雨水等がこの隙間から建物内部（屋内）に流れ込んでしまうという欠点があった。
【０００７】
本発明は、以上のような点を考慮してなされたもので、雨水等が建物内部に浸入することを防止できる原子力施設の配管構造及び配管スリーブ固設方法を提供することを目的とする。
【０００８】
【課題を解決するための手段】
上記の目的を達成するために本発明は、以下の構成を採用している。
請求項１記載の原子力施設の配管構造は、配管が挿通される内側スリーブが建物側壁部及び屋外側壁部を貫通して配置され、前記内側スリーブの外側に隙間をあけて外側スリーブが配置される原子力施設の配管構造であって、前記外側スリーブは、前記屋外側壁部に固設され、前記内側スリーブは、前記建物側壁部に固設される第１スリーブと、該第１スリーブに長さ方向に沿って接合される第２スリーブとを有することを特徴とするものである。
【０００９】
従って、本発明の原子力施設の配管構造では、外管スリーブと内側スリーブとの間の隙間は屋外側壁部において形成されることになり、建物側壁部には隙間がない状態で内側スリーブを固設することができる。そのため、内側スリーブの外周面を伝った雨水等が建物内部に浸入することを防止できる。また、本発明では、建物側壁部に固設する第１スリーブの長さを短くすることで、屋外側壁部を建設する際の鉄筋工事に支障を来すことを防止できる。そして、この鉄筋工事が完了する時点で、第１スリーブに第２スリーブを溶接等により接合することで、外側スリーブの内部に位置し、所定の長さを有する内側スリーブを形成することが可能である。
【００１０】
請求項２記載の原子力施設の配管構造は、請求項１記載の原子力施設の配管構造において、前記内側スリーブには、前記配管との間隙を閉塞する閉塞部材が延設されることを特徴とするものである。
【００１１】
従って、本発明の原子力施設の配管構造では、内側スリーブと配管との間の間隙から雨水等が建物内部に浸入することを防止できる。
【００１２】
請求項３記載の原子力施設の配管スリーブ固設方法は、配管が挿通される内側スリーブを建物側壁部及び屋外側壁部に貫通して配置し、前記内側スリーブの外側に隙間をあけて外側スリーブを配置する原子力施設の配管スリーブ固設方法であって、前記内側スリーブは、長さ方向に分割した第１スリーブ及び第２スリーブを有し、前記第１スリーブを前記建物側壁部に固設する第１工程と、前記外側スリーブを前記屋外側壁部に固設する第２工程と、固設した前記第１スリーブに前記第２スリーブを接合する第３工程とを有することを特徴とするものである。
【００１３】
従って、本発明の原子力施設の配管スリーブ固設方法では、外管スリーブと内側スリーブとの間の隙間は屋外側壁部において形成されることになり、建物側壁部には隙間がない状態で内側スリーブを固設することができる。そのため、内側スリーブの外周面を伝った雨水等が建物内部に浸入することを防止できる。また、本発明では、建物側壁部に固設する第１スリーブの長さを短くすることで、屋外側壁部を建設する際の鉄筋工事に支障を来すことを防止できる。そして、この鉄筋工事が完了する時点で、第１スリーブに第２スリーブを溶接等により接合することで、外側スリーブの内部に位置し、所定の長さを有する内側スリーブを形成することが可能である。
【００１４】
【発明の実施の形態】
以下、本発明の原子力施設の配管構造及び配管スリーブ固設方法の実施の形態を、図１を参照して説明する。この図において、従来例として示した図２と同一の構成要素には同一符号を付し、その説明を省略する。
【００１５】
図１に示すように、本実施の形態では、外管スリーブ３は屋外側壁部２に固設されており、内部に配管５が挿通され建物側壁部１及び屋外側壁部２を貫通する内管スリーブ４は一端側を外管スリーブ３の内側に隙間をあけて配置され、他端側を建物側壁部１に固設されている。
【００１６】
また、この内管スリーブ４は、長さ方向に分割され建物側壁部１に固設される第１スリーブ４ａと、溶接等の接合手段により第１スリーブ４ａに長さ方向に沿って接合される第２スリーブ４ｂとから構成されている。第１スリーブ４ａと第２スリーブ４ｂとの接合位置は、建物側壁部１及び屋外側壁部２のほぼ中間に設定されている。
【００１７】
第１スリーブ４ａの建物側端部には短管６が接合され、短管６には配管５との間隙を閉塞するブーツ（閉塞部材）７が設けられている。また、第２スリーブ４ｂの屋外側端部にも配管５との間隙を閉塞するブーツ（閉塞部材）８が設けられている。
【００１８】
続いて、上記構成のスリーブを固設する手順ついて説明する。
まず、建物側壁部１を建設（施工）する際には、鉄筋（配筋）工事時に第１スリーブ４ａを取り付けてコンクリートを打設することにより、建物側壁部１に第１スリーブ４ａを固設する（第１工程）。
【００１９】
次に、屋外側壁部２を施工する際には、鉄筋工事時に外管スリーブ３を取り付け（第２工程）、鉄筋工事が完了する時点で第２スリーブ４ｂをシール溶接等で第１スリーブ４ａに接合する（第３工程）。そして、コンクリートを打設することで屋外側壁部２が完成する。なお、第１スリーブ４ａと第２スリーブ４ｂとを接合する際には、外周側から溶接を行うことも可能であり、内管スリーブ４の内径が比較的大きい場合には内周側から溶接を行うことも可能である。
【００２０】
この後、第１スリーブ４ａに短管６を溶接固定するとともに、内管スリーブ４の両端にブーツ７、８を取り付けることでスリーブの固設が完了する。
【００２１】
このように、本実施の形態では、建物側壁部１と屋外側壁部２との相対位置ずれを吸収するための外管スリーブ３と内管スリーブ４との隙間が建物側壁部１ではなく、屋外側壁部２に形成されるため、内管スリーブ４の外周面を伝った雨水等が建物内部（屋内）に流れ込むことを防止できる。
【００２２】
また、本実施の形態では、ブーツ７、８で内管スリーブ４と配管５との間隙も閉塞しているので、内管スリーブ４の内部を通って雨水等が屋内に流れ込むことも防止可能である。そして、本実施の形態では、内管スリーブ４を第１スリーブ４ａと第２スリーブ４ｂとに分割し、第１スリーブ４ａを屋外側壁部２と離間する長さに設定することで、屋外側壁部２の鉄筋工事を阻害することも防止している。
【００２３】
なお、上記実施の形態では、第１スリーブ４ａと第２スリーブ４ｂとを接合した後に屋外側壁部２のコンクリートを打設する手順としたが、例えば内管スリーブ４の内周面側から溶接接合が可能であれば、コンクリート打設後に第１スリーブ４ａと第２スリーブ４ｂとを接合する手順としてもよい。
【００２４】
また、上記実施の形態では、接合手段として溶接を用いる構成としたが、これに限定されるものではなく、他の接合手段を選択することも可能である。
【００２５】
【発明の効果】
以上説明したように、本発明の原子力施設の配管構造及び配管スリーブ固設方法では、屋外側壁部の鉄筋工事を阻害することなく、雨水等が屋内に流れ込むことを防止できるという効果が得られる。
【図面の簡単な説明】
【図１】本発明の実施の形態を示す図であって、外管スリーブが屋外側壁部に固設され、内管スリーブが建物側壁部に固設された部分断面図である。
【図２】従来技術による配管構造の一例を示す部分断面図である。
【符号の説明】
１  建物側壁部
２  屋外側壁部
３  外管スリーブ（外側スリーブ）
４  内管スリーブ（内側スリーブ）
４ａ  第１スリーブ
４ｂ  第２スリーブ
５  配管
７、８  ブーツ（閉塞部材）
【図１】
2004226370.tif 000003
【図２】
2004226370.tif 000004